(57)【要約】      （修正有）【課題】電動工具の回転軸のための弾性のある位置決め組立体を提供すること。【解決手段】電動工具は、弾力のあるループを受け入れるために周縁に規定された環状の凹所と、周縁の側面に規定されたスロットと、球を移動可能に受け入れるために環状の凹所と連通するようにスロットを規定する側面に規定された穴とを含む。補助工具の内面に対する弾力のあるループの係合のため、弾力のあるループと駆動端部の外部に据えられる第１の補助工具との間の係合が確実にされる。【選択図】図１
0003114167.tif 000002
【実用新案登録請求の範囲】
【請求項１】
本体と、該本体の側部から伸びる伸長部と、該伸長部の側部から伸びる回転軸であって第１の直径を有する固定部と前記第１の直径より小さい第２の直径を有する接続部とに分けられた回転軸とを備え、前記接続部が駆動端部と該駆動端部の端縁に形成された周縁とに分けられている電動工具であって、
弾力のあるループを受け入れるために前記周縁に規定された環状の凹所と、
前記周縁の側面に規定されたスロットと、
第１の補助工具の内面に対する前記弾力のあるループの係合のために前記弾力のあるループと前記駆動端部の外側に据えられた前記第１の補助工具との係合が確実にされるように球を可動に受け入れるために前記環状の凹所と連通するように前記スロットを規定する側面内に規定された穴とを含む、電動工具。
【請求項２】
さらに、前記穴に移動可能に受け入れられた球であって、第２の補助工具が前記スロットに挿入された後、前記球が初めに前記弾力のあるループを変形させるように押圧され、次いで前記弾力のあるループからの弾力のために前記第２の補助工具の外縁に確実に隣接するように押し戻される、球を含む、請求項１に記載の電動工具。
【請求項３】
前記スロットは六角形であり、また前記駆動端部は長方形である、請求項１又は２に記載の電動工具。
【考案の詳細な説明】
【技術分野】
【０００１】
本考案は弾性を有する位置決め組立体、より詳細には回転軸が適用される異なる工具に適合可能であるように電動工具における回転軸のための弾力ある位置決め組立体に関する。
【背景技術】
【０００２】
電動工具は、通常、異なる目的のための異なる工具に適合されることが必要である。例えば、前記電動工具は、ナットを締め又は緩めるためのソケットに接続されるように適合され、あるいは前記電動工具は物体に螺合により接続されているねじを進め又は後退させるためのねじ回しに接続されるように適合される。図４を参照すると、電動工具６０における従来の位置決め組立体５０が示されており、これは、補助工具（図示せず）との接続のための接続端部５１と、前記電動工具本体との接続のために接続端部に一体に形成された駆動端部５２と、接続端部５１の先端に規定された六角形のスロット５３と、該六角形のスロットを規定する底面内に受け入れられた磁気素子５４と、接続端部５１及び駆動端部５２間の係合を確実にするために接続端部５１及び駆動端部５２間に挟み込まれたＣクリップ５５とを有する。したがって、前記補助工具から伸びる六角形の軸６１は、前記電動工具により駆動されるように六角形のスロット５３内に伸張することができる。しかし、六角形のスロット５３内に六角形の軸６１を維持するために六角形の軸６１に付与される位置決め力は磁気要素５４にのみ依存するため、特に六角形の軸６１の動きが荒いときに六角形の軸６１を固定するのに必ずしも十分でない。
【０００３】
前記工具軸に対する不十分な位置決め力の問題を解決するため、電動工具に異なる位置決め組立体が導入され、また図５に示されている。前記電動工具には、スロット７１が設けられた回転軸７０と、前記回転軸の側面に受け入れられスロット７１内に伸びる鋼球７２とが設けられている。このため、工具軸７３の側面に規定された位置決め用の凹み７４を有する工具軸７３がスロット７１に挿入され、鋼球７２が位置決め用の凹み７４内に静止した後、工具軸７３がスロット７１内に配置される。また、この構造は２つの金属面間の摩擦を利用するところ、これは工具軸７３と回転軸７０との双方に摩損を生じさせる。その結果、回転軸７０と工具軸７３との間の係合が緩くなり、ユーザーまたは居合わせた人を害することがある。
【考案の開示】
【考案が解決しようとする課題】
【０００４】
このような欠点を克服するため、本考案は、前記した問題を緩和するために改良された弾性のある位置決め組立体を提供することを企図する。
【課題を解決するための手段】
【０００５】
本考案の主たる目的は、電動工具の回転軸のための弾力のある位置決め組立体を提供することにあり、前記電動工具の駆動端部の周縁に規定された環状の凹所に受け入れられた弾力のあるリング又はループと、前記環状の凹所に連通する穴に移動可能に受け入れられた球であって前記駆動端部が補助工具に挿入されるとき、前記弾力あるループが前記補助工具を固定するように役立ち、また前記補助工具が前記駆動端部の側面に規定されたスロット内に挿入されるとき前記球が前記補助工具内の対応する凹所内に収まる球とを有する。
【０００６】
本考案の一側面において、前記駆動端部は長方形である。
【０００７】
本考案の他の側面において、前記補助工具を受け入れる穴は六角形である。
【０００８】
本考案のさらなる側面は、前記弾力のあるループが断面における高さを有し、これが前記環状の凹所の深さより大きく、このために前記駆動端部が前記補助工具内に挿入されるとき、前記弾力ある工具は前記補助工具を固定するのに役立つ。
【０００９】
本考案の他の目的、有利な点及び新規な特徴は、添付の図面を参照する以下の詳細な説明からより明らかとなろう。
【考案の効果】
【００１０】
本考案は、改良された弾力のある位置決め組立体を提供し、これにより前記従来の欠点を克服する。
【考案を実施するための最良の形態】
【００１１】
図１を参照すると、電動工具本体１０が該電動工具本体の側部から伸びる伸長部１１と、該伸長部の側面から伸びる回転軸とを有する。前記回転軸は、固定部２０であって、第１の直径と前記固定部の外面の周囲に規定された多数の相互に関連する対応する凹み領域２２とを有する固定部２０と、固定部２０の前記第１の直径より小さい第２の直径を有する接続部２１とに分けられている。さらに、接続部２１は駆動端部２５と、該駆動端部の端縁に形成された周縁２３であって該周縁に規定されたスロット２４を有する周縁２３とに分けられている。好ましくは、駆動端部２５は長方形であり、またスロット２４は六角形である。
【００１２】
図２を参照すると、位置決め穴２７が、球２８が位置決め穴２７内に確実に受け入れられかつＯリング３１と該Ｏリングの回りに配置された弾力のあるＣ型のキャップ３２とからなる弾力のあるループ３０が環状の凹所２６内に受け入れられるように、周縁２３の回りに規定された環状の凹所２６と連通するようにスロット２４を規定する側面に規定されている。
【００１３】
図２を参照すると、ソケット４０が駆動端部２５に接続されるとき、駆動端部２５がソケット４０内に挿入される。弾力のあるループ３０が環状の凹所２６の深さより大きい断面高さを有するため、駆動端部２５がソケット４０に挿入された後、環状の凹所２６の外部に露出された弾力あるループ３０がソケット４０と駆動端部２５との間の係合を確実にするように、弾力あるループ３０の一部が環状の凹所２６に露出される。
【００１４】
さらに、図３を参照すると、連続的に規定された複数の保持用凹み４１１を有するねじ回し４１のような異なる補助工具が駆動端部２５に接続された後、ねじ回し４１がスロット２４内に挿入され、球２８が保持用凹み４１１の対応する一つに収まる。しかし、球２８が保持用凹み４１１内に受け入れられる前、ねじ回し４１がスロット２４内に滑らかに伸張しうるように、ねじ回し４１の伸長部が球２８に作用し、これを位置決め用穴２７内に移動させる。すなわち、球２８は初めに弾力のあるループ３０に向けて移動するように強制され、その後、球２８は保持用凹み４１１の対応する一つに対応し、球２８は弾力のあるループ３０からの弾力のために対応する保持用凹み４１１に受け入れられるように移動される。
【００１５】
前記したところから、駆動端部２５と前記補助工具との間の摩擦により生じる摩損についての心配がないため、弾力のあるループ３０は、従来の位置決め組立体と比べると、電動工具に接続される補助工具に対するより良い位置決め機能を有することが理解されよう。
【００１６】
しかし、本考案の多くの特徴及び利点が、構造及び作用と共に先の説明において示されたが、その開示は実施例であり、変更が、特に実用新案登録請求の範囲の記載における用語の広く一般的な意味により示された内容に対する本考案の原理内においての部品の形状、大きさ及び配列について、詳細になし得る。
【図面の簡単な説明】
【００１７】
【図１】電動工具における位置決め組立体の斜視図である。
【図２】電動工具の駆動端部が補助工具内に挿入されていることを示す概略的な断面図である。
【図３】補助工具が、本考案の位置決め組立体により固定される駆動端部の穴に挿入されていることを示す概略的な断面図である。
【図４】電動工具における従来の位置決め組立体を部分的に示す斜視図である。
【図５】電動工具の異なる位置決め組立体を部分的に示す概略図である。
【符号の説明】
【００１８】
１０  本体
１１  伸長部
２０  固定部
２１  接続部
２３  周縁
２４  スロット
２５  駆動端部
２６  凹所
２７  穴
２８  球
３０  弾力のあるループ
【図１】
0003114167.tif 000003
【図２】
0003114167.tif 000004
【図３】
0003114167.tif 000005
【図４】
0003114167.tif 000006
【図５】
0003114167.tif 000007